(57)【要約】【課題】２本の帯状部材の各端部同士を正確かつ迅速に接続するために、この２本の帯状部材を一直線状に正確に固定することができる挟持具の提供を目的とするものである。【解決手段】本発明は、直線状のガイド面を有するガイド部と、上記ガイド面の直線方向と平行に、かつガイド面を挟んで互いに対向してガイド部に立設される第一のシート部及び第二のシート部とを備え、上記第一のシート部が中央部分に切欠部を有し、上記第一のシート部及び第二のシート部の少なくとも一方が、他方のシート部に向かって内側に湾曲するような弾性を有し、帯状部材を挟持する際に上記弾性を有する少なくとも一方のシート部が内側に湾曲し、両シート部が互いに対向方向に付勢される帯状部材挟持具である。【選択図】図１
2011157177.tif 000002
【特許請求の範囲】
【請求項１】
直線状のガイド面を有するガイド部と、
上記ガイド面の直線方向と平行に、かつガイド面を挟んで互いに対向してガイド部に立設される第一のシート部及び第二のシート部と
を備え、
上記第一のシート部が中央部分に切欠部を有し、
上記第一のシート部及び第二のシート部の少なくとも一方が、他方のシート部に向かって内側に湾曲するような弾性を有し、
帯状部材を挟持する際に、
上記弾性を有する少なくとも一方のシート部が内側に湾曲し、両シート部が互いに対向方向に付勢される帯状部材挟持具。
【請求項２】
上記切欠部が、ガイド面との対向縁側から切り欠かれた矩形形状を有し、ガイド面に対して垂直方向に設けられている請求項１に記載の帯状部材挟持具。
【請求項３】
上記第一のシート部及び第二のシート部が透明である請求項１又は請求項２に記載の帯状部材挟持具。
【請求項４】
上記湾曲するシート部の曲げ弾性率が５０ＭＰａ以上５０ＧＰａ以下である請求項１、請求項２又は請求項３に記載の帯状部材挟持具。
【請求項５】
上記帯状部材が電池の電極板である請求項１から請求項４のいずれか１項に記載の帯状部材挟持具。
【発明の詳細な説明】
【技術分野】
【０００１】
本発明は、２本の帯状部材を接続するための挟持具に関し、詳細には、電池の電極板などの２本の帯状部材を接続するために、この２本の帯状部材の各端部同士を当接させ、一直線状に挟持する帯状部材挟持具に関する。
【背景技術】
【０００２】
各種電子機器においては、その電源として様々なタイプの電池が使用されている。これらの電池の中でも、充電により繰り返して使うことが可能な二次電池が多く使用されている。この二次電池には、リチウムイオン電池、アルカリ蓄電池、ニッケル−カドミウム電池、ニッケル−水素電池等がある。
【０００３】
このような二次電池は、形状として円筒型や角型のものがあるが、断面構造としてはいずれも、一般的に図５に示される構造を有している。二次電池２１は、正極板２２と負極板２３とがセパレーター２４を介して巻回された渦巻状電極体２５、この渦巻状電極体２５と所定量の電解液とを収容できる大きさを有し、上方が開口した有底筒状の電池外装缶２６、及びこの電池外装缶２６の上方開口を塞ぐ封口体２７を主に有している。
【０００４】
この二次電池２１の組み立ては、一例として、以下の手順で行われる。まず、電池外装缶２６内に、渦巻状電極体２５等を収容した後に、例えば負極板２３に設けられた負極集電タブを電池外装缶２６の内側底部に溶接し、正極板２２に設けられた正極集電タブを開口部側の端子板（図示しない）に溶接する。次いで、電池外装缶２６の開口部から所定量の非水電解液が注入された後に、電池外装缶２６の開口部に封口体２７を挿入し、封止することにより組み立てられている。
【０００５】
上述のように渦巻状電極体２５は、正極板２２、負極板２３及びセパレーター２４が重ね合わされた一本の帯状の電極板を渦巻状に巻いて形成されるものである。この帯状の電極板は、工場における電池生産工程において高速で巻き取られるため、その生産工程において途中で切断される場合がある。このような場合、切断された２本の電極板の各端部同士を繋ぎ合わせる必要が生じる。また、生産工程において帯状の電極板の末端まで巻き取られた場合は、この電極板の末端と新たな電極板の先端とを繋ぎ合わせる必要が生じる。
【０００６】
このように２本の帯状の電極板を接続する際、この２本の電極板が一直線になるように接続されていない場合は、巻き取られた渦巻状電極体２５の形状にずれが生じ、大量の不良品が発生することとなる。従って、この電池の電極板の接続作業においては、正確性が要求される一方で、生産ラインを長時間ストップさせないために迅速性が要求される。しかしながら、通常、電池の生産ラインにおいて、この電極板の接続作業は手作業によって行われている。すなわち、２本の電極板の各端部を合わせ、この各端部同士を粘着テープ等で固定することによってなされており、一直線となっているか否かも作業者の目測で行われているため、正確性及び迅速性が十分であるとは言えない。
【０００７】
なお、テープの切断部同士を正確かつ容易に接続できるテープ接続治具は、例えば特開２００４−１６１４２０号公報、特開平６−３３６３６２号公報等に開示されている。しかし、これらのテープ接続治具は送り孔を有するテープを接続するものであり、この送り孔にピン等を掛けることで２本のテープの位置を正確に固定することができるような構造となっているものである。従って、このようなテープ接続治具を用いても、電池の電極板のような送り孔を有さない２本の帯状部材を正確に一直線状に固定し、接続することはできない。
【先行技術文献】
【特許文献】
【０００８】
【特許文献１】特開２００４−１６１４２０号公報
【特許文献２】特開平６−３３６３６２号公報
【発明の概要】
【発明が解決しようとする課題】
【０００９】
本発明は、これらの事情に鑑みてなされたものであり、２本の帯状部材を一直線状に正確に固定し、この２本の帯状部材の各端部同士を正確かつ迅速に接続することができる挟持具の提供を目的とするものである。
【課題を解決するための手段】
【００１０】
上記課題を解決するためになされた発明は、
直線状のガイド面を有するガイド部と、
上記ガイド面の直線方向と平行に、かつガイド面を挟んで互いに対向してガイド部に立設される第一のシート部及び第二のシート部と
を備え、
上記第一のシート部が中央部分に切欠部を有し、
上記第一のシート部及び第二のシート部の少なくとも一方が、他方のシート部に向かって内側に湾曲するような弾性を有し、
帯状部材を挟持する際に、
上記弾性を有する少なくとも一方のシート部が内側に湾曲し、両シート部が互いに対向方向に付勢される帯状部材挟持具である。
【００１１】
当該帯状部材挟持具によれば、２本の帯状部材を直線状のガイド面に沿って一直線状になるように挟持し、この２本の帯状部材の各端部同士を当接した状態で正確に固定することができる。従って当該挟持具を用いることで２本の帯状部材を正確かつ迅速に粘着テープ等を用いて接続することができる。
【００１２】
具体的には、当該挟持具によれば、第一のシート部及び第二のシート部の少なくとも一方が、他方のシート部に向かって内側に湾曲するような弾性を有し、帯状部材を挟持する際に、上記弾性を有する少なくとも一方のシート部が内側に湾曲し他方のシート部を付勢するため、この２枚のシート部間に２本の帯状部材を挟むことができ、この湾曲するシート部の反発力により生じる両シート部の対向方向の付勢力によって帯状部材を固定することができる。また、当該挟持具は、ガイド部が直線状のガイド面を有するため、このガイド面に沿って２本の帯状部材を固定することで２本の帯状部材を正確に一直線状に固定することができる。さらに当該挟持具は、第一のシート部の中央部分に切欠部を有することで、当接する２本の帯状部材の各端部をこの切欠部から露出させることができ、この切欠部から粘着テープ等によって２本の帯状部材の各端部同士を固定することで、容易に２本の帯状部材を接続することができる。
【００１３】
上記切欠部が、ガイド面との対向縁側から切り欠かれた矩形形状を有し、ガイド面に対して垂直方向に設けられていることが好ましい。当該挟持具によれば、切欠部がガイド面に対して垂直な矩形形状を有していることで、この切欠部が当接して固定される２本の帯状部材の各端部に対して垂直に位置することとなる。また、この切欠部がガイド面との対向縁側から切り欠かれているため、使用の際に、第一のシート部及び第二のシート部のどちらを湾曲させた場合も、粘着テープ等により各端部同士を接続する際に、シート部の延出方向先端側の縁が作業を妨げることがない。従って、当該治具によれば、粘着テープ等による２本の帯状部材の各端部同士の接続をより正確かつ容易に行うことができる。
【００１４】
上記第一のシート部及び第二のシート部が透明であることが好ましい。当該治具によれば、このように両シート部が透明であることで、２つの帯状部材がガイド面に沿って一直線状になっているか否かを容易に確認することができるため、２本の帯状部材の接続作業をより確実に行うことができる。
【００１５】
上記湾曲するシート部の曲げ弾性率としては、５０ＭＰａ以上５０ＧＰａ以下が好ましい。当該挟持具によれば、湾曲するシート部を上記範囲の曲げ弾性率とすることで、接続作業において確実に２本の帯状部材をシート部間に固定することができ、またこのシート部間への帯状部材の挿入及び抜取作業を効率的に行うことができる。
【００１６】
従って、当該帯状部材挟持具は、２本の同型の帯状部材、特に電池の電極板の接続の際に好適に用いることができる。
【００１７】
ここで、「直線状の面」とは、面内に直線を含む面をいい、この直線に傾いた方向に曲がっている曲面であってもよい。また、「曲げ弾性率」は、ＪＩＳ−Ｋ６９１１に準拠し試験片の幅１５ｍｍ、長さ４０ｍｍ、支点間距離１５ｍｍ、支点と圧子との曲率半径３ｍｍ、荷重速度２ｍｍ／ｍｉｎとして測定した値である。また、第一のシート部は、切欠部によって２枚に分断されていてもよい。
【発明の効果】
【００１８】
以上説明したように、当該帯状部材挟持具によれば、２本の帯状部材の各端部同士を正確かつ迅速に接続するために、この２本の帯状部材を一直線状に正確かつ容易に固定することができる。従って、当該帯状部材挟持具によれば、例えば電池の電極板の接続を正確かつ迅速に行うことができるため、不良品の発生を抑制させ、さらに生産ラインの停止状態を短縮することができ、生産性を向上させることができる。
【図面の簡単な説明】
【００１９】
【図１】本発明の一実施形態に係る帯状部材挟持具を示す模式的斜視図。
【図２】図１の帯状部材挟持具の使用方法を示す模式的斜視図。
【図３】図１の帯状部材挟持具とは異なる帯状部材挟持具を示す模式的斜視図。
【図４】図１及び図３の帯状部材挟持具とは異なる帯状部材挟持具を示す模式的側面図。
【図５】一般的な二次電池の断面図。
【発明を実施するための形態】
【００２０】
以下、適宜図面を参照しつつ、本発明の実施形態を詳説する。
【００２１】
図１の帯状部材挟持具１は、ガイド部２と、第一のシート部３と、第二のシート部４とを備えている。当該帯状部材挟持具１は、後に詳述するように、ガイド部２のガイド面に沿って、第一のシート部３と第二のシート部４との間に２本の帯状部材を一直線状に挟持して固定することができる構造となっている。
【００２２】
ガイド部２は、細長い略直方体形状を有している。また、ガイド部２は、直線状のガイド面５を有している。このガイド面５は、直線状、すなわち面内に直線を含む形状でありこの直線方向を長手方向とする細長い長方形状（帯状形状）となっている。ガイド部２のこの略直方体形状としては、全ての面が平面から構成される正確な直方体形状に限定されず、少なくとも上記ガイド面５が直線状、すなわち、ガイド面５内に直線を含む面であれば、他の面はどのような形状でもよい。このガイド部２によれば、この直線状のガイド面５に沿って２本の帯状部材を配置することができるため、２本の帯状部材を正確に一直線状に固定することができる。
【００２３】
ガイド部２の材質としては、特に限定されず、合成樹脂、金属等を適宜用いることができるが、軽量であることによる取扱性や成形性などの点から、合成樹脂が好ましく、透明な合成樹脂が特に好ましい。この合成樹脂としては、特に限定されず、例えば、ポリエチレンテレフタレート、ポリエチレンナフタレート、ポリカーボネート、ポリスチレン、ＡＢＳ、ポリ塩化ビニル、ポリプロピレンやポリ（４−メチルペンテン−１）等のポリオレフィン、ポリメチルメタクリレート等のアクリル樹脂等を挙げることができる。
【００２４】
ガイド部２のサイズとしては、特に限定されず、接続する帯状部材の大きさ等を適宜考慮して設定される。例えば、当該帯状部材挟持具１を電池の電極板の接続のために用いる場合のガイド部２の長手方向の長さ（ガイド面５の長さ）としては、４ｃｍ以上２０ｃｍ以下が好ましく、６ｃｍ以上１５ｃｍ以下が特に好ましい。ガイド部２の長さが４ｃｍ未満の場合は、ガイド面５の長さが不十分であるため、このガイド部２に沿って２本の帯状部材を正確に一直線状に固定しにくくなるおそれがある。逆に、ガイド部２の長さが２０ｃｍを超えると、ガイド部２が長すぎ、帯状部材挟持具１自体が大型化されるため、挟持具１を片手で取り扱いにくくなり、かつ、２本の帯状部材をガイド部２に沿って２つのシート部間に挟持しにくくなるため作業性が低下するおそれがある。
【００２５】
また、ガイド部２の厚さ（ガイド面５の幅）は、電池の電極板の接続のために用いる場合においては、０．５ｍｍ以上３ｍｍ以下が好ましく、１ｍｍ以上２ｍｍ以下が特に好ましい。接続部２の厚さが０．５ｍｍ未満の場合は、ガイド面５に好ましい厚さの第一のシート部３及び第二のシート部４（以下、「両シート部」ともいう。）を設けることが困難となる。また、両シート部を設けた場合も、この両シート部間の間隔が狭くなり、帯状部材たる電池の電極板を正確かつ容易に挟持し、固定することが困難となるおそれがある。逆に、ガイド部２の厚さが３ｍｍを超えると両シート部の厚さによっては、両シート部間の間隔が広くなりすぎ、帯状部材を挟持し固定しにくくなるおそれがある。
【００２６】
なお、ガイド部２の幅（ガイド面５に対して垂直方向の長さ）としては、ガイド部２が一定程度の強度を有することができれば特に限定されず、例えば、２ｍｍ以上６ｍｍ以下程度である。
【００２７】
第一のシート部３は、ガイド部２のガイド面５の上側に、ガイド面５の直線方向と平行に立設されている。また、第一のシート部３は、中央部分にガイド面５との対向縁側から切り欠かれた切欠部６を有し、この切欠部６によって２枚に分断されている。
【００２８】
第一のシート部３の形状（切欠部６によって切り欠かれていないとした状態の形状）としては、特に限定されないが、帯状部材の挟み易さ等の取扱性の点から、方形であることが好ましい。なお、この第一のシート部３が方形である場合、安全性の点などから各頂点が丸められていてもよい。
【００２９】
第一のシート部３のサイズとしては、特に限定されないが、長さ（ガイド面５の直線方向の長さ）としてはガイド部２の長さと同一長さであることが好ましい。
【００３０】
また、第一のシート部３の幅（ガイド面５と垂直方向の長さ）としては、この挟持具１によって固定する帯状部材のサイズ等によって適宜設定されるが、電池の電極板の接続の際に用いる場合は、例えば、４ｃｍ以上１０ｃｍ以下が好ましく、５ｃｍ以上８ｃｍ以下が特に好ましい。第一のシート部３の幅が４ｃｍより短いと電池の電極板の両シート部間による挟持状態が不安定になり正確に一直線状に固定しにくくなるおそれがある。逆に、この幅が１０ｃｍを超えると、電池の電極板の挿入及び抜取作業の効率が低下するおそれがある。
【００３１】
第一のシート部３の厚さも特に限定されず、一般的なシートの厚さであればよく、例えば０．１ｍｍ以上１ｍｍ以下程度である。
【００３２】
第一のシート部３の材質としては、特に限定されず、合成樹脂、金属等を適宜用いることができるが、軽量であることによる取扱性や成形性などの点から合成樹脂が好ましい。また第一のシート部３は透明であることが好ましい。第一のシート部３が透明であると、２つの帯状部材がガイド部２のガイド面５に確実に接して一直線状になっているか否かを容易に確認することができるため、２本の帯状部材の接続作業をより確実に行うことができる。
【００３３】
第一のシート部３に用いられる合成樹脂としては、例えばガイド部２で用いられるものと同様のポリエチレンテレフタレート、ポリエチレンナフタレート、ポリカーボネート、ポリスチレン、ＡＢＳ、ポリ塩化ビニル、ポリプロピレンやポリ（４−メチルペンテン−１）等のポリオレフィン、ポリメチルメタクリレート等のアクリル樹脂等を挙げることができる。なお、この第一のシート部３は、弾性を有していてもいなくてもよい。
【００３４】
切欠部６は、矩形形状を有し、第一のシート部３を二等分するようにガイド面５に対して垂直方向に切り欠かれている。当該挟持具１によれば、このように第一のシート部３の中央部分に切欠部６を有することで、この切欠部６から２本の帯状部材の各端部分を露出させることができ、この切欠部６から粘着テープ等によって２本の帯状部材の各端部分を容易に接続することができる。また、この切欠部６がガイド面５との対向縁側から切り欠かれているため、使用の際に、粘着テープ等により各端部同士を接続する際に、第一のシート部３のガイド面５と対向する側の縁が作業を妨げることがない。
【００３５】
この切欠部６の幅（ガイド面５の直線方向の長さ）は、２本の帯状部材を接続するための粘着テープ等の幅より広いものであることが好ましく、具体的には、０．８ｃｍ以上３ｃｍ以下が好ましい。切欠部６の幅が０．８ｃｍより小さいと、粘着テープ等の幅より狭くなることで、粘着テープ等の貼り付けが困難になる場合がある。逆に、この幅が３ｃｍを超えると、切り欠かれた第一のシート部３自体が小さくなることで、帯状部材の固定においてぐらつきが生じるなど、作業性が低下するおそれがある。
【００３６】
第二のシート部４は、ガイド部２のガイド面５の下側に、ガイド面５の直線方向と平行に立設されている。すなわち、第一のシート部３と第二のシート部４とは、ガイド面５を挟んで対向するようにガイド部２から立設している。また、第二のシート部４は、第一のシート部３に向かって内側に湾曲するような弾性を有し、少なくとも帯状部材を挟持する際に、第一のシート部３に向かって内側に１８０°湾曲する。当該挟持具１は、このように第二のシート部４が湾曲することができるので、この湾曲するシート部（第二のシート部４）と他のシート部（第二のシート部３）とが、切欠部６を挟んだ左右で帯状部材を介して当接し、互いに対向方向に付勢されることとなる。
【００３７】
当該挟持具１によれば、このような状態で２枚のシート部（第一のシート部３及び第二のシート部４）が当接し、付勢されることができるため、この２枚のシート部間に帯状部材を挟むことができ、この湾曲しているシート部（第二のシート部４）の反発力により生じる両シート部の対向方向の付勢力によって帯状部材を固定することができる。
【００３８】
第二のシート部４のサイズ（長さ、幅及び厚さ）としては、特に限定されないが、第一のシート部３と同サイズであることが成形性の点などから好ましい。
【００３９】
ここで、第一のシート部３と第二のシート部４との間隔としては、接続される帯状部材の厚さを考慮して適宜設定することができる。当該挟持具１を電池の電極板の接続のために用いる場合においては、この間隔としては、０．０５ｍｍ以上２ｍｍ以下が好ましく、０．１ｍｍ以上１．５ｍｍ以下がさらに好ましく、０．２ｍｍ以上１．２ｍｍ以下がさらに好ましい。この間隔が０．０５ｍｍより小さいと、帯状部材たる電池の電極板の側面がガイド面５に完全に当接するまで電極板を２枚のシート部間に差し込むことが困難となり２つの電極板を一直線状に挟持し、固定できなくなるおそれがある。逆にこの間隔が２ｍｍより大きいと、電極板を挟持した際にぐらつきが生じやすくなり、２枚の電極板を一直線状に正確に接続できないおそれがある。
【００４０】
第二のシート部４の材質としては、上述の弾性を有するものであれば特に限定されないが、第一のシート部３と同様な合成樹脂を用いることが好ましい。また、第二のシート部４においても透明であることが好ましい。第二のシート部４が透明であると、２つの帯状部材の側面がガイド面５に確実に接して一直線状になっているか否かを下側（裏側）からも容易に確認することができるため、２本の帯状部材の接続作業をより確実に行うことができる。
【００４１】
この第二のシート部４（湾曲するシート部）の曲げ弾性率の下限としては、５０ＭＰａが好ましく、１００ＭＰａが更に好ましく、２００ＭＰａが特に好ましく、５００ＭＰａが更に特に好ましい。一方、この曲げ弾性率の上限としては、５０ＧＰａが好ましく、３０ＧＰａが更に好ましく、１０ＧＰａが特に好ましく、４ＧＰａが更に特に好ましい。当該挟持具１によれば、第二のシート部４の曲げ弾性率を上記範囲にすることで、両シート部において好適な付勢力を発揮することができ、接続作業において確実に２つの帯状部材をシート部間に固定することができ、またこのシート部間への帯状部材の挿入及び抜取作業を効率的に行うことができる。
【００４２】
第二のシート部４の曲げ弾性率が上記下限より小さいと、この湾曲する第二のシート部４の反発力（両シート部の付勢力）が弱く、２つの帯状部材を両シート部によって挟持した際に、固定されにくくなるおそれがある。また、粘着テープ等により接続する際に、第二のシート部４が変形しやすくなるため、正確に２つの帯状部材を接続しにくくなるおそれがある。逆に、この曲げ弾性率が上記上限を超えると、この湾曲する第二のシート部４の反発力（両シート部の付勢力）が強すぎるため、シート部間への帯状部材の挿入及び抜取がしにくくなり、作業効率が低下するおそれがある。
【００４３】
当該帯状部材挟持具１によれば、図２に示すように、２本の帯状部材Ａ及びＢを２枚のシート部（第一のシート部３及び第二のシート部４）間に挿入し、この２本の帯状部材Ａ及びＢの各端部同士を当接し、かつ、ガイド部２のガイド面５に沿って一直線状になるように正確に固定することができる。この際に、２本の帯状部材Ａ及びＢは、湾曲した第二のシート部４の反発力によって生じる両シート部の対向方向の付勢力によって固定されている。
【００４４】
また、この当接している帯状部材Ａ及びＢの各端部同士が中央部分に位置するように挟み込むことによって、この帯状部材Ａ及びＢの各端部の当接部分は切欠部６から露出した状態となっている。また、この切欠部６は、延出方向先端側から切り欠かれており、さらに、この当接している帯状部材Ａ及びＢの各端部の面に対して垂直に位置しているため、この切欠部６から粘着テープＣ等によって２本の帯状部材の各端部分を容易に固定することができ、容易に２本の帯状部材Ａ及びＢを接続することができる。
【００４５】
なお、粘着テープＣ等によって２本の帯状部材Ａ及びＢの各端部分を固定した後は、この帯状部材Ａ及びＢを第一のシート部３及び第二のシート部４の延出方向（ガイド部２の逆方向）に引っ張ることで、帯状部材Ａ及びＢを容易に抜き出すことができる。
【００４６】
図３の帯状部材挟持具１１は、ガイド部２と、第一のシート部１３と、第二のシート部１４とを備えている。ガイド部２は、図１の帯状部材挟持具１と同様のものであるので、同一番号を付して説明を省略する。
【００４７】
第一のシート部１３は、ガイド部２のガイド面５の上側に、ガイド面５の直線方向と平行に立設されている。また、第一のシート部１３は、中央部分にガイド面５との対向縁側から切り欠かれた切欠部１６を有している。なお、この第一のシート部１３は、図１の第一のシート部３と異なり、ガイド部２のガイド面５までは切り欠かれていないため、分断されず１枚のシート状となっている。第一のシート部１３は、第二のシート部１４に向かって内側に湾曲するような弾性を有し、少なくとも帯状部材を挟持する際、第二のシート部１４に向かって内側に１８０°湾曲する。
【００４８】
第二のシート部１４は、ガイド部２のガイド面５の下側に、ガイド面５の直線方向と平行に立設されている。すなわち、第一のシート部１３と第二のシート部１４とは、ガイド面５を挟んで対向するようにガイド部２から立設している。なお、第二のシート部１４は弾性を有していてもいなくてもよい。
【００４９】
第一のシート部１３のサイズ（長さ、幅及び厚さ）及び材質は挟持具１の第一のシート部３と同様であり、第二のシート部１４のサイズ（長さ、幅及び厚さ）及び材質は挟持具１の第二のシート部４と同様である。また、湾曲する第一のシート部１３の好ましい曲げ弾性率としては、挟持具１の第二のシート部４と同様である。
【００５０】
当該帯状部材挟持具１１は、上述のように第一のシート部１３が内側に湾曲するので、帯状部材を挟持する際、この湾曲するシート部（第一のシート部１３）の外側の面と、他方のシート部（第二のシート部１４）の内側の面とが、切欠部１６を挟んだ左右で帯状部材を介して当接し、両シート部が対向方向に付勢されることとなる。
【００５１】
当該挟持具１１によっても、このような状態で２枚のシート部（第一のシート部１３及び第二のシート部１４）が当接し、付勢さるため、この２枚のシート部間に２本の帯状部材を挟むことができ、この湾曲しているシート部（第一のシート部１３）の反発力すなわち、両シート部の対向方向への付勢力によって帯状部材を固定することができる。
【００５２】
図４の帯状部材挟持具１７は、ガイド部２と、第一のシート部３と、第二のシート部１８とを備えている。ガイド部２及び第一のシート部３とは、図１の帯状部材挟持具１と同様のものであるので、同一番号を付して説明を省略する。
【００５３】
第二のシート部１８は、ガイド部２のガイド面５の下側に、ガイド面５の直線方向と平行に立設されている。すなわち、第一のシート部３と第二のシート部１８とは、ガイド面５を挟んで対向するようにガイド部２から立設している。
【００５４】
第二のシート部１８は、第一のシート部３に向かって内側に湾曲するような弾性を有しており、少なくとも帯状部材を挟持する際に、第一のシート部３に向かって内側に湾曲する。この際、第二のシート部１８は、略三角形状に湾曲され、第一のシート部３と面状に当接している。
【００５５】
当該帯状部材挟持具１７によれば、このような形状に第二のシート部１８が湾曲するため、帯状部材を第一のシート部３と第二のシート部１８との両方の平面で挟持することができる。また、２本の帯状部材の各端部同士を粘着テープ等にて接続する際に、粘着テープ等を介して第二のシート部１８を押さえ込んでも曲がりにくく、作業性が向上する。従って、当該挟持具によれば、帯状部材を挟持した際の固定安定性が向上し、より正確かつ確実に、帯状部材を一直線状に接続することができる。
【００５６】
当該帯状部材挟持具の製造方法としては、特に限定されず、例えば、それぞれに成型したガイド部、第一のシート部及び第二のシート部を接続して成形する方法、溶融押出成型法などにより一体的に成型する方法、第一及び第二のシート部となるシート状部材を接着剤等の樹脂を介して接続して成形する方法、一枚のシート状部材を折り曲げて成形する方法などが挙げられる。
【００５７】
なお、当該挟持具を上述のように２枚のシート状部材を接続して形成した場合や、一枚のシート状部材を折り曲げて形成した場合などにおいて、ガイド部のガイド面において両シート部間の間隔が限りなく狭くなっていてもよい。このように両シート部間の間隔が狭くなり、ガイド面において、両シート部間の間隔が、挟持される帯状部材の厚さよりも狭くなっていても、ガイド面が直線状であれば、このガイド面の直線にそって帯状部材を一直線状に挟持することができる。
【００５８】
なお、本発明の帯状部材挟持具は、上記実施形態に限定されるものではなく、例えば、切欠部が矩形形状以外の形状、例えば頂点が丸められた矩形形状や半円状を有していてもよい。当該帯状部材挟持具の切欠部が、このような形状である場合は、帯状部材の２枚のシート間への挿入がスムーズに行われ、この接続の作業性がさらに向上される。
【００５９】
また、本発明の帯状部材挟持具は、常には、弾性を有する少なくとも一方のシート部が内側に湾曲していなくてもよい。つまり、この弾性を有するシート部を通常又は流通段階等においては平面状とし、使用の際（帯状部材を挟持する際）に湾曲させて使用するものであってよい。このように、通常又は流通段階等においては平面状としておくことで、保管をコンパクトなサイズで行うことができる。
【産業上の利用可能性】
【００６０】
以上説明したように、本発明の帯状部材挟持具は、帯状部材の接続作業が必要となる生産工程、例えば、帯状の電池の電極板を取り扱う電池製造工程などにおいて利用される。さらに、当該帯状部材挟持具によれば、生産性の向上により電池の電極板の更なる薄型化が可能となり、例えば、ハイブリッド車のバッテリーなど、高品質な電池の生産の際に、好適に用いられる。その他、当該帯状部材挟持具は、帯状部材としてテープ、フィルム、シート等の部品が組み込まれる様々な家電製品等の生産ラインにおいても好適に用いられる。
【符号の説明】
【００６１】
１    帯状部材挟持具
２    ガイド部
３    第一のシート部
４    第二のシート部
５    一の側面
６    切欠部
１１  帯状部材挟持具
１３  第一のシート部
１４  第二のシート部
１６  切欠部
１７  帯状部材挟持具
１８  第二のシート部
Ａ    帯状部材
Ｂ    帯状部材
Ｃ    粘着テープ
【図１】
2011157177.tif 000003
【図２】
2011157177.tif 000004
【図３】
2011157177.tif 000005
【図４】
2011157177.tif 000006
【図５】
2011157177.tif 000007
【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
直線状のガイド面を有し、このガイド面に沿って帯状部材をガイドするガイド部と、
上記ガイド面の直線方向と平行に、かつガイド面を挟んで互いに対向してガイド部に立設される第一のシート部及び第二のシート部と
を備え、
上記第一のシート部が中央部分に切欠部を有し、
上記第一のシート部及び第二のシート部の少なくとも一方が、他方のシート部に向かって内側に湾曲するような弾性を有し、
帯状部材を上記第一のシート部及び第二のシート部の間に挟持する際に、
上記弾性を有する少なくとも一方のシート部が内側に湾曲し、両シート部が互いに対向方向に付勢される帯状部材挟持具。
【請求項２】
上記切欠部が、ガイド面との対向縁側から切り欠かれた矩形形状を有し、ガイド面に対して垂直方向に設けられている請求項１に記載の帯状部材挟持具。
【請求項３】
上記第一のシート部及び第二のシート部が透明である請求項１又は請求項２に記載の帯状部材挟持具。
【請求項４】
上記湾曲するシート部の曲げ弾性率が５０ＭＰａ以上５０ＧＰａ以下である請求項１、請求項２又は請求項３に記載の帯状部材挟持具。
【請求項５】
上記帯状部材が電池の電極板である請求項１から請求項４のいずれか１項に記載の帯状部材挟持具。
【手続補正２】
【補正対象書類名】明細書
【補正対象項目名】００１０
【補正方法】変更
【補正の内容】
【００１０】
上記課題を解決するためになされた発明は、
直線状のガイド面を有し、このガイド面に沿って帯状部材をガイドするガイド部と、
上記ガイド面の直線方向と平行に、かつガイド面を挟んで互いに対向してガイド部に立設される第一のシート部及び第二のシート部と
を備え、
上記第一のシート部が中央部分に切欠部を有し、
上記第一のシート部及び第二のシート部の少なくとも一方が、他方のシート部に向かって内側に湾曲するような弾性を有し、
帯状部材を上記第一のシート部及び第二のシート部の間に挟持する際に、
上記弾性を有する少なくとも一方のシート部が内側に湾曲し、両シート部が互いに対向方向に付勢される帯状部材挟持具である。
【手続補正３】
【補正対象書類名】明細書
【補正対象項目名】００３６
【補正方法】変更
【補正の内容】
【００３６】
第二のシート部４は、ガイド部２のガイド面５の下側に、ガイド面５の直線方向と平行に立設されている。すなわち、第一のシート部３と第二のシート部４とは、ガイド面５を挟んで対向するようにガイド部２から立設している。また、第二のシート部４は、第一のシート部３に向かって内側に湾曲するような弾性を有し、少なくとも帯状部材を挟持する際に、第一のシート部３に向かって内側に１８０°湾曲する。当該挟持具１は、このように第二のシート部４が湾曲することができるので、この湾曲するシート部（第二のシート部４）と他のシート部（第一のシート部３）とが、切欠部６を挟んだ左右で帯状部材を介して当接し、互いに対向方向に付勢されることとなる。